(57)【要約】【課題】紙パック本体の紙質層に形成されている開口がストローの外径と略等しい内径を有するため、内面層にストローを通して飲料を吸引すると、紙パック内が減圧し、その結果、ストローから口を離すと、ストローから外部の空気が紙パック本体内に流入して不快な異音が生じることがあった。また、一気に飲料を吸引すると、パック本体が変形することもあった。【解決手段】飲料を収容する紙パック本体と、前記紙パック本体の蓋部に形成されたストロー挿入用のシールされた第１の開口と、前記紙パック本体の蓋部に形成され、前記紙パック本体が減圧状態になった場合に外部の空気を流入させるシールされた第２の開口とを  備えた飲料用紙パック。【選択図】図１
2009046142.tif 000002
【特許請求の範囲】
【請求項１】
飲料を収容する紙パック本体と、
前記紙パック本体の蓋部に形成されたストロー挿入用のシールされた第１の開口と、
前記紙パック本体の蓋部に形成され、前記紙パック本体が減圧状態になった場合に外部の空気を流入させるシールされた第２の開口と、
を備えたことを特徴とする飲料用紙パック。
【請求項２】
前記第２の開口は、前記第１の開口と所定の距離を置いて独立して形成されていることを特徴とする請求項１に記載の飲料用紙パック。
【請求項３】
前記第２の開口は、前記第１の開口と一体であってストローと前記紙パック本体の蓋部の間に形成される隙間であることを特徴とする請求項１に記載の飲料用紙パック。
【発明の詳細な説明】
【技術分野】
【０００１】
この発明は、ジュース、牛乳、酒等の販売に供される飲料用紙パックに関する。
【背景技術】
【０００２】
従来の飲料用紙パックは、ジュース、牛乳、酒等の飲料を収容する紙パック本体の蓋部にストローを挿入する開口を有している。紙パック本体は所定の機械的強度を有する紙質層と、紙質層の内面に密着した薄膜状の内面層によって構成され、上記開口は紙質層に形成されていて内面層によってシールされている。
従って、紙パック本体に収容された飲料は内面層のシール作用によって外部へ漏洩することもなく、また、酸化からも保護されることにより所定の期間にわたって賞味が維持される。
【発明の開示】
【発明が解決しようとする課題】
【０００３】
しかし、従来の飲料用紙パックによると、紙パック本体の紙質層に形成されている開口がストローの外径と略等しい内径を有するため、内面層にストローを通して飲料を吸引すると、紙パック内が減圧し、その結果、ストローから口を離すと、ストローから外部の空気が紙パック本体内に流入して不快な異音が生じることがあった。また、一気に飲料を吸引すると、パック本体が変形することもあった。
従って、本発明の目的は不快な異音が発生せず、また、変形することもない飲料用紙パックを提供することにある。
【課題を解決するための手段】
【０００４】
本発明は、上記の目的を達成するため、一態様として、以下の飲料用パックを提供する。
〔１〕飲料を収容する紙パック本体と、前記紙パック本体の蓋部に形成されたストロー挿入用のシールされた第１の開口と、前記紙パック本体の蓋部に形成され、前記紙パック本体が減圧状態になった場合に外部の空気を流入させるシールされた第２の開口とを備えた飲料用紙パック。
〔２〕前記第２の開口は、前記第１の開口と所定の距離を置いて独立して形成されている上記〔１〕に記載の飲料用紙パック。
〔３〕前記第２の開口は、前記第１の開口と一体であってストローと前記紙パック本体の蓋部の間に形成される隙間である上記〔１〕に記載の飲料用紙パック。
【発明の効果】
【０００５】
本発明の飲料用紙パックによれば、飲料賞味時に異音が発生することもなく、また、変形することもない。
【発明を実施するための最良の形態】
【０００６】
〔第１の実施の形態〕
図１（ａ）〜（ｃ）は本発明の第１の実施の形態の飲料用紙パックを示し、紙パック本体１が飲料４０を収容している。紙パック本体１は所定の機械的強度を有する紙質層２と薄膜状の内面層３がラミネートされて構成されており、蓋部５０、側面部（１部図示せず）６０、及び底部（図示せず）を有している。蓋部５０は紙質層２に形成されたストローを挿入するための開口１０と減圧防止用の開口２０を有し、開口１０及び開口２０は内面層３によってシールされている（図１（ａ））。
飲料４０を賞味するときは、ストロー３０を開口１０に挿入する前にストロー３０の先端によって開口２０の内面層３を破って開封する。次に、ストロー３０を開口１０に挿入して開口１０の内面層３０を破って開封するとともにストロー３０の先端を飲料４０に浸漬して飲料４０を賞味する。
このとき、飲料４０が減少しても開口２０が開封されているので、紙パック本体１の内部が減圧状態になることはない。その結果、ストロー３０から口を離してもストロー３０から外部の空気が紙パック本体１の内部へ流入して不快な異音が発生することはなくなる。また、飲料４０を一気に吸引したとしても、紙パック本体１が変形することもない。
〔第２の実施の形態〕
図２（ａ）〜（ｄ）は本発明の第２の実施の形態の飲料用紙パックを示す。
図２（ａ）は紙パック本体１の蓋部５０に形成された開口１０にストロー３０が挿入されている状態を示す。ここで、開口１０は楕円形をしているので、ストロー３０はその両側に開口１０との間に隙間７０を生じる。隙間７０の部分には内面層３０が存在するが、ストロー３０の左右の移動によって内面層３０を簡単に破ることができるので、その部分に空気が流通する開口を形成することができる。
従って、この実施の形態においても、第１の実施の形態の飲料用紙パックと同様の効果が得られる。
図２（ｂ）〜（ｄ）に示される飲料用紙パックも図２（ａ）と同様であり、共通する部分は共通の引用数字で示されているので、重複する説明は省略する。ここで、図２（ｂ）は開口１０が正方形であり、図２（ｃ）は開口１０が三角形であり、図２（ｄ）は開口１０が五角形の場合である。何れの場合も隙間７０が開口の役割を果すことができる。
図２（ａ）〜（ｄ）はストロー３０の断面が円形である実施の形態を示したが、ストロー３０の断面を三角形、四角形、五角形等の多角形とし、開口１０をストロー３０の断面と異形、例えば、円形とすることによっても隙間７０を形成することができる。
図３（ａ）及び（ｂ）は本発明の第３の実施の形態の飲料用紙パックを示す。
この実施の形態の飲料用紙パックは、開口１０及び開口２０を有する構成において第１の実施の形態と共通するが、飲料の非賞味時には、開口１０及び開口２０が剥がし蓋５０ａによって塞がれている構成を有する。
以上、本発明の飲料用紙パックを実施の形態に基づいて説明したが、本発明の飲料用紙パックはこれらの実施の形態に限定されるものではなく、本発明の技術的思想の範囲内において種々変形が可能である。
【図面の簡単な説明】
【０００７】
【図１】図１は本発明の第１の実施の形態の飲料用紙パックを示し、（ａ）は飲料の非賞味時の断面図、（ｂ）は飲料の賞味時の斜視図、（ｃ）は飲料の賞味時の断面図である。
【図２】図２は本発明の第２の実施の形態の飲料用紙パックを示し、（ａ）〜（ｄ）は各変形例の上面図である。
【図３】図３は本発明の第３の実施の形態の飲料用紙パックを示し、（ａ）は断面図、（ｂ）は斜視図である。
【符号の説明】
【０００８】
１紙パック本体
２紙質層
３内面層
４０飲料
５０蓋部
５０ａ剥がし蓋
６０側面部
７０隙間
【図１】
2009046142.tif 000003
【図２】
2009046142.tif 000004
【図３】
2009046142.tif 000005